(57)【要約】【課題】消費者の興味を引き起こし開封させることができるメールおよびその製造方法を提供する。【解決手段】同形状で異印刷内容の複数種類の印刷紙から、顧客情報に基づいて２種類以上の印刷紙を選択する選択過程と、その選択された印刷紙をフラップが生じるように所定の辺部分で貼り合せて辺貼合印刷紙を得る辺貼合過程と、その辺貼合印刷紙を折り畳み折畳印刷紙を得る折畳過程と、その畳印刷紙をフラップで閉じるフラップ閉過程と、を有するようにしたメール製造方法、およびその方法により製造されたメール。【選択図】  図１
2007161329.tif 000002
【特許請求の範囲】
【請求項１】
同形状で異印刷内容の複数種類の印刷紙から選択した任意の２種類以上の印刷紙をフラップが生じるように所定の辺部分で貼り合せた辺貼合印刷紙を折り畳み前記フラップで閉じることにより形成したことを特徴とするメール。
【請求項２】
請求項１記載のメールにおいて、前記辺貼合印刷紙を封筒となるように折り畳み、前記選択した印刷紙と同種類の印刷紙を折り畳んで前記封筒に封入し、前記フラップで封緘することにより形成したことを特徴とするメール。
【請求項３】
同形状で異印刷内容の複数種類の印刷紙から、顧客情報に基づいて２種類以上の印刷紙を選択する選択過程と、
前記選択された印刷紙をフラップが生じるように所定の辺部分で貼り合せて辺貼合印刷紙を得る辺貼合過程と、
前記辺貼合印刷紙を折り畳み折畳印刷紙を得る折畳過程と、
前記折畳印刷紙を前記フラップで閉じるフラップ閉過程と、
を有することを特徴とするメール製造方法。
【発明の詳細な説明】
【技術分野】
【０００１】
本発明はメールの技術分野に属する。特に、カスタムメイドのメールとその製造方法に関する。
【背景技術】
【０００２】
近年、文書による情報伝達手段として、ダイレクトメールが利用される機会が多くなっている。従来のダイレクトメールというと、長形３号封筒や長形４号封筒などチラシに詰めたものが一般的である。また最近では情報媒体のチラシと封筒を一体化したワンピースメールも数多く流通している（特許文献１）。また民間企業の郵便事業参入により、今まで郵便の定形外だった角形２号封筒（Ａ４書類相当）や角形３号封筒（Ｂ５書類相当）等のダイレクトメールが郵便代金程度の安価で発送することができるためＤＭの形態が多岐に渡ってきている。
【特許文献１】実願平７-８５７７
【０００３】
しかし、それだけダイレクトメールの流通量が増えた現在では、普通の形態（長形３号封筒）のダイレクトメールでは開封してもらえずに廃棄されてしまうものも少なくない。そこで、ダイレクトメールにおいてはどれだけ消費者の興味を引き起こし開封させるかということが大きな課題となる。したがって、ダイレクトメールを発送する各社とも、その内容は勿論のこと、デザイン、形態、開封のさせ方、等いろいろと趣向を凝らし、消費者の開封率、返信率を上げることに躍起となっている。また、消費者の趣向も多種多様化してきており、顧客データに基づいた個人の好みに合ったダイレクトメールが送られてくることが多くなった。こういった顧客データに基づくダイレクトメールの需要は今後さらに大きくなると考えられる。
【発明の開示】
【発明が解決しようとする課題】
【０００４】
本発明は上記の問題を解決するために成されたものである。その目的は、消費者の興味を引き起こし開封させることができるメールおよびその製造方法を提供することにある。
【課題を解決するための手段】
【０００５】
本発明の請求項１に係るメールは、同形状で異印刷内容の複数種類の印刷紙から選択した任意の２種類以上の印刷紙をフラップが生じるように所定の辺部分で貼り合せた辺貼合印刷紙を折り畳み前記フラップで閉じることにより形成するようにしたものである。
また本発明の請求項２に係るメールは、請求項１に係るメールにおいて、前記辺貼合印刷紙を封筒となるように折り畳み、前記選択した印刷紙と同種類の印刷紙を折り畳んで前記封筒に封入し、前記フラップで封緘することにより形成するようにしたものである。
また本発明の請求項４に係るメール製造方法は、同形状で異印刷内容の複数種類の印刷紙から、顧客情報に基づいて２種類以上の印刷紙を選択する選択過程と、前記選択された印刷紙をフラップが生じるように所定の辺部分で貼り合せて辺貼合印刷紙を得る辺貼合過程と、前記辺貼合印刷紙を折り畳み折畳印刷紙を得る折畳過程と、前記折畳印刷紙を前記フラップで閉じるフラップ閉過程と、を有するようにしたものである。
【発明の効果】
【０００６】
本発明の請求項１に係るメールによれば、同形状で異印刷内容の複数種類の印刷紙から選択した任意の２種類以上の印刷紙によってメールが形成される。すなわち、複数種類の印刷紙から顧客（消費者）の趣向に適合する印刷紙を選択することができ、そうすることによりメールの外観から顧客の興味を引き起こすことが可能となる。したがって、消費者の興味を引き起こし開封させることができるメールが提供される。
また本発明の請求項２に係るメールによれば、封筒の外観から顧客の興味を引き起こし、さらに封筒を形成した印刷紙と同種類の印刷物を完全な形態で内容物として顧客に提供することができる。
また本発明の請求項３に係るメール製造方法によれば、選択過程において同形状で異印刷内容の複数種類の印刷紙から顧客情報に基づいて２種類以上の印刷紙が選択され、辺貼合過程において選択された印刷紙をフラップが生じるように所定の辺部分で貼り合せて辺貼合印刷紙が得られ、折畳過程において辺貼合印刷紙を折り畳み折畳印刷紙が得られ、フラップ閉過程において折畳印刷紙がフラップで閉じられる。すなわち、同形状で異印刷内容である複数種類の印刷紙から顧客（消費者）の趣向に適合する印刷紙を選択されることでメールの外観から顧客の興味を引き起こすことが可能となる。したがって、消費者の興味を引き起こし開封させることができるメールの製造方法が提供される。また、形状が同一の印刷紙であるから、選択する印刷紙に制約がなく組合わせが自由となり、さらに、その選択した印刷紙をメールに加工する装置の機構を簡易とすることができる。また、印刷内容が異なった印刷紙であっても、形状が同一の印刷紙であるから、適用する印刷機と加工機の各々を一種類で済ませることができる。
【発明を実施するための最良の形態】
【０００７】
（巻折ワンピースＤＭ）
次に、本発明の実施の形態について図を参照しながら説明する。本発明のメールおよびその製造方法について、巻折ワンピースＤＭ（ダイレクトメール）を一例として、図１、図２に説明図を示す。図１、図２において、１ａ〜１ｄはチラシ、２は辺貼合チラシ、３は折畳チラシ、４はメール、１００は管理ＰＣ、２００は顧客データベースである。
巻折ワンピースＤＭは一枚の印刷紙を巻くように折り畳んで辺部分を貼り合せることにより形成したダイレクトメールのことである。ここでは、以下に説明するように、同形状で異印刷内容の複数種類の印刷紙（チラシ１ａ〜１ｄ）から選択した複数枚の印刷紙を貼り合せて１枚の印刷紙とし、それを巻くように上下に折り畳んで辺部分を貼り合せることにより形成したダイレクトメールのことを意味している。
【０００８】
チラシ１ａ〜１ｄは前もって印刷が行われた印刷紙である。チラシ１ａ〜１ｄの各々は印刷されている情報の内容が異なっている。たとえば、図１、図２に示すように、チラシ１ａは車（自動車）に関するチラシであり、チラシ１ｂは保険に関するチラシであり、チラシ１ｃは温泉に関するチラシであり、チラシ１ｄはゴルフに関するチラシである。またチラシ１ａ〜１ｄはすべて同形状の印刷紙である。チラシ１ａ〜１ｄを形状が同一の印刷紙とすることにより、選択する印刷紙に制約がなく組合わせが自由となり、さらに、その選択した印刷紙をメールに加工する装置の機構を簡易とすることができる。また、チラシ１ａ〜１ｄは印刷内容が異なった印刷紙であるが、形状が同一の印刷紙であるから、適用する印刷機と加工機の各々を一種類で済ませることができる。
これらのチラシ１ａ〜１ｄの各々は、たとえばチラシが単体に分離されているシートであれば、メール製造システムの選択部において、各々の複数枚を積み重ねた状態で給紙ステージにセットされている。また、たとえばチラシが連なっているロール（巻取体）であれば、選択部において各々のロールがシートカッターにセットされている。
【０００９】
管理ＰＣ（パーソナルコンピュータ）１００は顧客データベース２００から生産品目に対応する顧客情報を入力する。管理ＰＣ１００はその生産品目に対応する生産仕様に基づいて、入力した顧客情報の中から必要とする情報を一連の生産順序に配列する（ソートする）。管理ＰＣ１００はメール製造システムの制御部からの生産タイミングを示す信号を入力する。その信号に同期して、管理ＰＣ１００はチラシ１ａ〜１ｄの中からその生産タイミングで選択すべきチラシを特定する情報を出力する。選択部はその情報を入力しその情報によって特定されるチラシをチラシ１ａ〜１ｄの中から選択する。すなわち、選択部は給紙ステージから選択されたチラシを１枚１枚取り出し次工程に送給する。ここでは、チラシ１ａ〜１ｄの中から２つの種類のチラシが選択される（図１のＳ１）。
【００１０】
次に、メール製造システムの貼合部において、選択された２つの種類のチラシを貼り合せる（図２のＳ２）。貼合部は選択部から送給される２つのチラシを所定の辺部分で貼り合せるために所定の辺部分のすくなくとも一方に糊付けを行う。そして、貼合部は２つのチラシを所定の辺部分で重ね合わせる。貼り合せる所定の辺部分は、図２に示す一例においては、チラシ１ａの右辺部分とチラシ１ｂの左辺部分である。このとき貼合部は、図２に示すように、メールを閉じるためのフラップが生じるように２つのチラシを配置して重ね合わせる。さらに、貼合部は重ね合わせた２つのチラシの辺部分をニップローラ等により加圧して貼り合せることによって辺貼合チラシ２を得る。
なお、フラップは、図２においては、チラシ１ａ〜１ｄの辺部分（上辺部分）において切り欠いた残りの部分として設けられている。また、チラシ１ａ〜１ｄはすべて同形状となっている。しかし、図２は一例を示したものであり、本発明は印刷紙（チラシ）におけるフラップとなる部位、印刷紙の形状によって限定されない。
【００１１】
次に、メール製造システムの折畳部において、辺貼合チラシ２に対して巻き折りを２回行う（図２のＳ３）。折畳部は、図２に示すように、辺貼合チラシ２における所定の辺部分に糊付けを行う。糊付けを行う所定の辺部分は、図２に示す一例においては、左辺部分と右辺部分である。そして、折畳部は辺貼合チラシ２の下辺部分を巻き込むようにして左右方向の折り目ができるように上下巻き折りを２回行う。このとき、糊付けを行った所定の辺部分において重なった部分が貼り合わされ、折畳チラシ３を得る。
【００１２】
次に、メール製造システムのフラップ閉部において、折畳チラシ３におけるフラップを折り曲げてフラップにより折畳チラシ３の開口部（上辺部分）を閉じる（図２のＳ４）。フラップ閉部はフラップの内側における所定の辺部分に糊付けを行う。内側とはフラップを折り曲げたときに、フラップと重ね合わさる折畳チラシ３の部分（外側となる面）において接触する面のことである。そして、フラップ閉部はフラップを折り曲げて折畳チラシ３のその部分に重ね合わせる。このとき、糊付けを行った所定の辺部分において重なった部分が貼り合わされ、折畳チラシ３の開口部が閉じられたメール４を得る。
【００１３】
次に、メール製造システムの印字部において、メール４の表面に宛名の印字が行われる。管理ＰＣ１００はメール製造システムの制御部からの生産タイミングを示す信号を入力する。その信号に同期して、管理ＰＣ１００は生産順序に配列した前述の顧客情報の中からその生産タイミングで印字すべき宛名情報を出力する。印字部はその情報を入力しその情報によってメール４の表面に宛名（住所、氏名、等）を印字する。印字が行われたダイレクトメール４はメール製造システムの排紙ステージに積み重ねられる。
なお、図２に示す一例においては、宛名の印字はメール４を得てから行われるが、宛名の印字はメール４を製造する過程の何処で行っても良い。たとえば、２つの種類のチラシが選択されたＳ１０１の直後に、２つのチラシにおける適正な位置に印字を行っておくことができる。適正な位置とは、フラップで開口部を閉じるＳ１０４で得られたメール４において宛名が記載されるべき位置のことである。
【００１４】
（４面ワンピースＤＭ）
以上、巻折ワンピースＤＭを一例として説明した。次に、本発明のメールおよびその製造方法について、４面ワンピースＤＭを一例とし、図３、図４参照して説明する。図３、図４において、１１ａ、１１ｂはチラシ、１２は辺貼合チラシ、１３ａ，１３ｂは折畳チラシ、１４はメールである。なお、４面ワンピースＤＭにおいても、管理ＰＣ１００、顧客データベース２００、メール製造システム、等については、巻折ワンピースＤＭにおいて前述したことと同様である。
４面ワンピースＤＭは、以下に説明するように、同形状で異印刷内容の複数種類の印刷紙（たとえば、チラシ１１ａ〜１１ｄ；図１参照）から選択した２枚の印刷紙を貼り合せて１枚の印刷紙とし、それを上下左右に各１回づつ折り畳んで辺部分を貼り合せることにより形成したダイレクトメールのことを意味している。
別の一例をして
【００１５】
まず、顧客情報に基づいて２種類のチラシが選択される（図３のＳ１０１）。メール製造システムの選択部は選択すべきチラシを特定する情報を管理ＰＣ１００から入力しその情報によって特定されるチラシを選択する。すなわち、選択部は給紙ステージから選択されたチラシを１枚１枚取り出し次工程に送給する。ここでは、チラシ１１ａと１１ｂの２つのチラシが選択される。
【００１６】
次に、選択された２つの種類のチラシを貼り合せる（図３のＳ１０２）。メール製造システムの貼合部は選択部から送給される２つのチラシを所定の辺部分で貼り合せるために所定の辺部分のすくなくとも一方に糊付けを行う。そして、貼合部は２つのチラシを所定の辺部分で重ね合わせる。貼り合せる所定の辺部分は、図３に示す一例においては、チラシ１１ａの右辺部分とチラシ１１ｂの左辺部分である。このとき貼合部は、図３に示すように、メールを閉じるためのフラップが生じるように２つのチラシをずらして配置して重ね合わせる。ずらしたことにより飛び出した部分がフラップとなる。さらに、貼合部は重ね合わせた２つのチラシの辺部分をニップローラ等により加圧して貼り合せることによって辺貼合チラシ１２を得る。
なお、フラップは、図３においては、チラシ１１ａ、１１ｂの辺部分（上辺部分）において設けられている。また、チラシ１１ａ、１１ｂは同形状となっている。しかし、図３は一例を示したものであり、本発明は印刷紙（チラシ）におけるフラップとなる部位、印刷紙の形状によって限定されない。
【００１７】
次に、辺貼合チラシ１２に対して上下折り畳みを１回行う（図４のＳ１０３）。メール製造システムの折畳部は、図４に示すように、辺貼合チラシ１２における所定の辺部分に糊付けを行う。糊付けを行う所定の辺部分は、図４に示す一例においては、左辺部分と右辺部分である。そして、折畳部は辺貼合チラシ１２の下辺部分を折り返すようにして左右方向の折り目ができるように上下折り畳みを１回行う。折り目は図３の辺貼合チラシ１２における破線で示されている。このとき、糊付けを行った所定の辺部分において重なった部分が貼り合わされ、折畳チラシ１３ａを得る。
【００１８】
次に、折畳チラシ１３ａに対して左右折り畳みを１回行う（図４のＳ１０４）。メール製造システムの折畳部は、図４に示すように、折畳チラシ１３ａにおける所定の辺部分に糊付けを行う。糊付けを行う所定の辺部分は、図４に示す一例においては、左辺部分と下辺部分である。そして、折畳部は折畳チラシ１３ａの右辺部分を折り返すようにして上下方向の折り目ができるように左右折り畳みを１回行う。折り目は図３の辺貼合チラシ１２における破線で示されている。このとき、糊付けを行った所定の辺部分において重なった部分が貼り合わされ、折畳チラシ１３ｂを得る。
【００１９】
次に、折畳チラシ１３ｂにおけるフラップを折り曲げてフラップにより折畳チラシ１３ｂの開口部（上辺部分）を閉じる（図２のＳ１０５）。メール製造システムのフラップ閉部はフラップの内側における所定の辺部分に糊付けを行う。内側とはフラップを折り曲げたときに、フラップと重ね合わさる折畳チラシ３の部分（外側となる面）において接触する面のことである。そして、フラップ閉部はフラップを折り曲げて折畳チラシ１３ｂのその部分に重ね合わせる。このとき、糊付けを行った所定の辺部分において重なった部分が貼り合わされ、折畳チラシ１３ｂの開口部が閉じられたメール１４を得る。
なお６面ワンピースＤＭの場合は、Ｓ１０３における巻き折りが１回増えるだけで他の工程は同様である。８面ワンピースＤＭ、１０面ワンピースＤＭ、・・・においても同様である。
【００２０】
（９面ワンピースＤＭ）
以上、４面ワンピースＤＭを一例として説明した。次に、本発明のメールおよびその製造方法について、９面ワンピースＤＭを一例とし、図５、図６参照して説明する。図５、図６において、２１ａ、２１ｂはチラシ、２２は辺貼合チラシ、２３ａ，２３ｂは折畳チラシ、２４はメールである。なお、９面ワンピースＤＭにおいても、管理ＰＣ１００、顧客データベース２００、メール製造システム、等については、巻折ワンピースＤＭにおいて前述したことと同様である。
９面ワンピースＤＭは、以下に説明するように、同形状で異印刷内容の複数種類の印刷紙（たとえば、チラシ２１ａ〜２１ｄ；図１参照）から選択した２枚の印刷紙を貼り合せて１枚の印刷紙とし、それを上下に２回と左右に１回折り畳んで辺部分を貼り合せることにより形成したダイレクトメールのことを意味している。
【００２１】
まず、顧客情報に基づいて２種類のチラシが選択される（図５のＳ２０１）。メール製造システムの選択部は選択すべきチラシを特定する情報を管理ＰＣ１００から入力しその情報によって特定されるチラシを選択する。すなわち、選択部は給紙ステージから選択されたチラシを１枚１枚取り出し次工程に送給する。ここでは、チラシ２１ａと２１ｂの２つのチラシが選択される。
【００２２】
次に、選択された２つの種類のチラシを貼り合せる（図５のＳ２０２）。メール製造システムの貼合部は選択部から送給される２つのチラシを所定の辺部分で貼り合せるために所定の辺部分のすくなくとも一方に糊付けを行う。そして、貼合部は２つのチラシを所定の辺部分で重ね合わせる。貼り合せる所定の辺部分は、図５に示す一例においては、チラシ２１ａの右辺部分とチラシ２１ｂの左辺部分である。このとき貼合部は、図５に示すように、メールを閉じるためのフラップが生じるように２つのチラシをずらして配置して重ね合わせる。ずらしたことにより飛び出した部分とあらかじめチラシに設けられた部分とがフラップとなる。さらに、貼合部は重ね合わせた２つのチラシの辺部分をニップローラ等により加圧して貼り合せることによって辺貼合チラシ２２を得る。
なお、あらかじめ設けられたフラップは、図５においては、チラシ２１ａと２２ｂの辺部分（上辺部分）において切り欠いた残りの部分として設けられている。また、チラシ２１ａと２２ｂは同形状となっている。しかし、図５は一例を示したものであり、本発明は印刷紙（チラシ）におけるフラップとなる部位、印刷紙の形状によって限定されない。
【００２３】
次に、辺貼合チラシ２２に対して上下折り畳みを１回行う（図６のＳ２０３）。メール製造システムの折畳部は、図５に示すように、辺貼合チラシ２２における所定の辺部分に糊付けを行う。糊付けを行う所定の辺部分は、図５に示す一例においては、左辺部分と右辺部分である。そして、折畳部は辺貼合チラシ２２の下辺部分を折り返すようにして左右方向の折り目ができるように上下折り畳みを２回行う。折り目は図５の辺貼合チラシ２２における破線で示されている。このとき、糊付けを行った所定の辺部分において重なった部分が貼り合わされ、折畳チラシ２３ａを得る。
【００２４】
次に、折畳チラシ２３ａに対して左右折り畳みを１回行う（図６のＳ２０４）。メール製造システムの折畳部は、図６に示すように、折畳チラシ２３ａにおける所定の辺部分に糊付けを行う。糊付けを行う所定の辺部分は、図６に示す一例においては、左辺部分と下辺部分である。そして、折畳部は折畳チラシ２３ａの右辺部分を折り返すようにして上下方向の折り目ができるように左右折り畳みを１回行う。折り目は図５の辺貼合チラシ２２における破線で示されている。このとき、糊付けを行った所定の辺部分において重なった部分が貼り合わされ、折畳チラシ２３ｂを得る。
【００２５】
次に、折畳チラシ２３ｂにおけるフラップを折り曲げてフラップにより折畳チラシ２３ｂの開口部（上辺部分）を閉じる（図６のＳ２０５）。メール製造システムのフラップ閉部はフラップの内側における所定の辺部分に糊付けを行う。内側とはフラップを折り曲げたときに、フラップと重ね合わさる折畳チラシ２３ｂの部分（外側となる面）において接触する面のことである。そして、フラップ閉部はフラップを折り曲げて折畳チラシ２３ｂのその部分に重ね合わせる。このとき、糊付けを行った所定の辺部分において重なった部分が貼り合わされ、折畳チラシ３２ｂの開口部が閉じられたメール２４を得る。
【００２６】
（封筒封入型ＤＭ）
以上、９面ワンピースＤＭを一例として説明した。次に、本発明のメールおよびその製造方法について、封筒封入型ＤＭを一例とし、図７、図８参照して説明する。図７、図８において、３１ａ、３１ｂはチラシ、３２は辺貼合チラシ、３３は封筒、３４はメールである。なお、封筒封入型ＤＭにおいても、管理ＰＣ１００、顧客データベース２００、メール製造システム、等については、巻折ワンピースＤＭにおいて前述したことと同様である。
封筒封入型ＤＭは、以下に説明するように、同形状で異印刷内容の複数種類の印刷紙（たとえば、チラシ３１ａ〜３１ｄ；図１参照）から選択した２枚の印刷紙を貼り合せて１枚の印刷紙とし、それを封筒となるように折り畳み、選択した印刷紙と同種類の印刷紙を折り畳んでその封筒に封入し、印刷紙に形成されたフラップで封緘することにより形成したダイレクトメールのことを意味している。
【００２７】
まず、顧客情報に基づいて２種類のチラシが選択される（図７のＳ３０１）。メール製造システムの選択部は選択すべきチラシを特定する情報を管理ＰＣ１００から入力しその情報によって特定されるチラシを選択する。すなわち、選択部は給紙ステージから選択されたチラシを１枚１枚取り出し次工程に送給する。ここでは、チラシ３１ａと３１ｂの２つのチラシが選択される。
【００２８】
次に、選択された２つの種類のチラシを貼り合せる（図７のＳ３０２）。メール製造システムの貼合部は選択部から送給される２つのチラシを所定の辺部分で貼り合せるために所定の辺部分のすくなくとも一方に糊付けを行う。そして、貼合部は２つのチラシを所定の辺部分で重ね合わせる。図７に示すように、チラシ３１ａと３１ｂは互いに反対向きとなるように重ね合わされる。反対向きに重ね合わせることは、たとえば、供給ステージにおいてチラシ３１ａと３１ｂが互いに反対向きとなるように積み重ねる、供給過程で反転させる、等により達成される。また貼合部は、図７に示すように、メールを閉じるためのフラップが生じるように２つのチラシをずらして配置して重ね合わせる。ずらしたことにより飛び出した部分とあらかじめチラシに設けられた部分とがフラップとなる。さらに、貼合部は重ね合わせた２つのチラシの辺部分をニップローラ等により加圧して貼り合せることによって辺貼合チラシ３２を得る。
【００２９】
なお、あらかじめ設けられたフラップは、図７においては、チラシ３１ａと３２ｂの辺部分（上辺部分、左辺部分、右辺部分）においてチラシ３１ａと３２ｂの本体における辺部分を延長したような部分として設けられている。したがって、図７に示すように、チラシ３１ａと３２ｂは十字形状となっている。また、チラシ３１ａと３２ｂは同形状となっている。しかし、図７は一例を示したものであり、本発明は印刷紙（チラシ）におけるフラップとなる部位、印刷紙の形状によって限定されない。
【００３０】
次に、辺貼合チラシ３２に対して上下折り畳みを１回行い、横フラップを折り込んで封筒を得る（図７のＳ３０３）。メール製造システムの折畳部は、辺貼合チラシ３２における所定の辺部分に糊付けを行う。糊付けを行う所定の辺部分は、図７に示す一例においては、辺貼合チラシ３２における左辺部分と右辺部分である。そして、図８（Ｂ）の斜視図に示すように、折畳部は辺貼合チラシ３２の下辺部分を折り返すようにして左右方向の折り目ができるように上下折り畳みを１回行う。このとき、糊付けを行った所定の辺部分において重なった部分が貼り合わされる。
【００３１】
さらに、折畳部は辺貼合チラシ３２の左右辺部分のフラップ（横フラップ）における内側の所定の辺部分に糊付けを行う。内側とはフラップを折り曲げたときに、フラップと重ね合わさる辺貼合チラシ３２の部分（外側となる面）において接触する面のことである。そして、メール製造システムのフラップ閉部は辺貼合チラシ３２の左右辺部分のフラップを折り曲げて辺貼合チラシ３２のその部分に重ね合わせる。このとき、糊付けを行った所定の辺部分において重なった部分が貼り合わされ、辺貼合チラシの左右辺部分の開口部が閉じられた封筒３３を得る。
【００３２】
次に、Ｓ３０１で選択したチラシと同種類のチラシを折り畳んでその封筒３３に封入し、その封筒３３の上辺部分のフラップを折り曲げて、そのフラップにより封筒３３の開口部（上辺部分）を閉じる（図８のＳ３０４）。メール製造システムの選択部は、同種類のチラシを選択する。同種類のチラシはチラシ３１ａと３２ｂであってもよいが、別途用意したチラシであってもよい。別途用意したチラシとは、たとえば、チラシ３１ａと３２ｂにおいてフラップを無くしたチラシ、別工程で封筒３３に同封できる形状に折り畳んだチラシ、内容は同一で同封できる寸法としたチラシ、等である。
【００３３】
メール製造システムの折畳部は、選択したチラシが折り畳まれていないときには封筒３３に同封できる形状に折り畳む封入用チラシを得る。勿論このときは、前述したような封筒３３とするための糊付けは行わない。メール製造システムの丁合部は、選択したチラシを丁合して冊子形態の封入用チラシとするときは、無線綴（糊付け）等の方法で選択したチラシを接着し冊子とする。そして、メール製造システムの封入部は封入用チラシを封筒３３に封入する。さらに、メール製造システムの封緘部（フラップ閉部）は封筒３３のフラップの内側における所定の辺部分に糊付けを行う。内側とはフラップを折り曲げたときに、フラップと重ね合わさる封筒３３の部分（外側となる面）において接触する面のことである。そして、封緘部はフラップを折り曲げて封筒３３のその部分に重ね合わせる。このとき、糊付けを行った所定の辺部分において重なった部分が貼り合わされ、封筒３３の開口部が閉じられたメール３４を得る。
【００３４】
以上、本発明のメールおよびその製造方法について、４つの実施の態様を挙げて説明した。それらは、巻折ワンピースＤＭ、４面ワンピースＤＭ、９面ワンピースＤＭ、封筒封入型ＤＭと呼称する４つの実施の態様であるが、本発明はそれらだけに限定されるものではない。本発明の技術思想に基づいて様々な態様で実施することができ、それらも本発明に含まれる。
【図面の簡単な説明】
【００３５】
【図１】本発明のメールおよびその製造方法について、巻折ワンピースＤＭを一例として示す説明図（その１）である。
【図２】本発明のメールおよびその製造方法について、巻折ワンピースＤＭを一例として示す説明図（その２）である。
【図３】本発明のメールおよびその製造方法について、４面ワンピースＤＭを一例として示す説明図（その１）である。
【図４】本発明のメールおよびその製造方法について、４面ワンピースＤＭを一例として示す説明図（その２）である。
【図５】本発明のメールおよびその製造方法について、９面ワンピースＤＭを一例として示す説明図（その１）である。
【図６】本発明のメールおよびその製造方法について、９面ワンピースＤＭを一例として示す説明図（その２）である。
【図７】本発明のメールおよびその製造方法について、封筒封入型ＤＭを一例として示す説明図（その１）である。
【図８】本発明のメールおよびその製造方法について、封筒封入型ＤＭを一例として示す説明図（その２）である。
【符号の説明】
【００３６】
１ａ〜１ｄ、１１ａ、１１ｂ、２１ａ、２１ｂ、３１ａ、３１ｂ  チラシ
２、１２、２２、３２  辺貼合チラシ
３、１３ａ，１３ｂ、２３ａ，２３ｂ、  折畳チラシ
４、１４、２４、３４  メール
３３  封筒
１００  管理ＰＣ
２００  顧客データベース
【図１】
2007161329.tif 000003
【図２】
2007161329.tif 000004
【図３】
2007161329.tif 000005
【図４】
2007161329.tif 000006
【図５】
2007161329.tif 000007
【図６】
2007161329.tif 000008
【図７】
2007161329.tif 000009
【図８】
2007161329.tif 000010